(57)【特許請求の範囲】
【請求項１】
宛先設定キーを含む操作部と、
表示部と、
前記操作部の宛先設定キーにアドレスを含む登録相手の情報を対応付けて記憶する記憶部と、
設定した順序で入力画面を遷移させ、前記各入力画面で設定された項目の情報が逐次入力されることで、メールを作成可能であり、
前記表示部に前記メールの送付先の入力方法を選択する入力方法選択画面を表示させた状態において、前記操作部に前記入力方法を選択する操作が入力された場合、選択された前記入力方法に対応して送付先を入力させる詳細画面に遷移させ、かつ、
前記表示部に前記入力方法選択画面を表示させた状態において、前記操作部の前記宛先設定キーが入力された場合、前記記憶部から前記宛先設定キーに対応する前記アドレスを読み出して前記送付先に設定し、前記詳細画面の表示を省略して、前記送付先設定後の入力画面に遷移させる制御部と、を備え、
前記制御部は、前記入力方法選択画面を表示させた状態において、予め設定された設定時間が経過すると、前記宛先設定キーに対応付けられる前記登録相手の登録情報を前記表示部に表示させ、前記登録情報の表示中に、前記操作部に決定操作が入力されたら、当該登録情報に対応する前記登録相手の前記アドレスを前記送付先に設定する、携帯端末装置。
【請求項２】
前記制御部は、前記入力方法選択画面上に、前記宛先設定キーに対応するキーアイコンを表示させている、請求項１に記載の携帯端末装置。
【請求項３】
前記制御部は、待受画面の表示中に、前記宛先設定キーが押下されたら、前記宛て先設定キーに対応付けられた前記登録相手の電話番号に発信する、請求項１または２に記載の携帯端末装置。
【請求項４】
前記制御部は、前記入力方法選択画面を表示させた状態において、前記宛先設定キーが操作され、かつ、前記宛先設定キーに前記登録相手が対応付けられていない場合、表示中の前記登録相手が未登録である旨を報知する未登録報知画面を表示させる、請求項１ないし３のいずれか１項に記載の携帯端末装置。
【請求項５】
前記制御部は、前記入力方法選択画面を表示させた状態において、前記宛先設定キーが操作され、かつ、前記宛先設定キーに前記アドレスが対応付けられていない場合、前記アドレスが未登録である旨を報知するアドレス未登録報知画面を表示させる、請求項１ないし４のいずれか１項に記載の携帯端末装置。
【請求項６】
前記制御部は、前記宛先設定キーに対応付けられる前記登録相手が未登録である場合、前記入力方法選択画面上に表示された前記キーアイコンを、未登録に対応する表示とする、請求項１ないし５のいずれか１項に記載の携帯端末装置。
【請求項７】
前記制御部は、前記入力方法選択画面を表示させた状態において、前記操作部に前記特定操作が入力され、かつ、前記特定操作に複数の前記アドレスが対応付けられている場合、前記メール宛先を選択する宛先選択画面を表示させる、請求項１ないし６のいずれか１項に記載の携帯端末装置。
【請求項８】
前記制御部は、前記入力方法選択画面を表示させた状態において、前記操作部に前記特定操作が入力され、かつ、前記特定操作に複数の前記アドレスが対応付けられている場合、予め設定された優先順位の高いアドレスを前記送付先に設定する、請求項１ないし６のいずれか１項に記載の携帯端末装置。
【請求項９】
前記制御部は、前記入力方法選択画面を表示させた状態において、前記操作部に前記特定操作が入力され、かつ、前記特定操作に複数の前記アドレスが対応付けられている場合、前記表示部に前記アドレスを順次遷移させて表示させ、前記アドレスの表示中に、前記操作部に決定操作が入力されたら、表示中の前記アドレスを前記送付先に設定する、請求項１ないし６のいずれか１項に記載の携帯端末装置。
【請求項１０】
前記制御部は、前記入力方法選択画面を表示させた状態において、前記操作部に前記特定操作が入力され、かつ、前記特定操作に複数の前記アドレスが対応付けられている場合、複数の前記アドレスの全てを前記送付先に設定する、請求項１ないし６のいずれか１項に記載の携帯端末装置。
【請求項１１】
１つの前記特定操作には、１つのみの前記アドレスが対応付けられていることを特徴とする請求項１ないし６のいずれか１項に記載の携帯端末装置。
【発明の詳細な説明】
【技術分野】
【０００１】
本発明は、メールを作成可能な携帯端末装置に関する。
【背景技術】
【０００２】
特許文献１には、ワンタッチで発信する機能を有するワンタッチ発信キーを備えた携帯電話機が記載されている。この携帯電話機は、操作者がワンタッチ発信キーをワンタッチ操作すると、ワンタッチ発信キーに対応する通信先に電話を発信する。
【先行技術文献】
【特許文献】
【０００３】
【特許文献１】特開２００７−１２４７１６号公報
【発明の概要】
【発明が解決しようとする課題】
【０００４】
このように携帯電話機にワンタッチ発信キーを設けることで、操作者は、簡便な操作で特定の相手に電話をかけることができる。また、操作者は、ワンタッチ発信キーを操作することで、アドレスを確認することができる。しかしながら、操作者がワンタッチキーを使用できる用途は少ない。
【０００５】
本発明は、上記に鑑みてなされたものであって、操作部に入力される特定操作を有効に使用することができ、特定操作の操作性を高めることができる携帯端末装置を提案する。
【課題を解決するための手段】
【０００６】
本発明の携帯端末装置は、操作部と、表示部と、操作部に入力される特定操作に対し、アドレスを対応付けて記憶する記憶部と、設定した順序で入力画面を遷移させ、各入力画面で設定された項目の情報が逐次入力されることで、メールを作成可能であり、表示部にメールの送付先の入力方法を選択する入力方法選択画面を表示させた状態において、操作部に入力方法を選択する操作が入力された場合、選択された入力方法に対応して送付先を入力させる詳細画面に遷移させ、かつ、表示部に入力方法選択画面を表示させた状態において、操作部に特定操作が入力された場合、記憶部から特定操作に対応するアドレスを読み出して送付先に設定し、詳細画面の表示を省略して、送付先設定後の入力画面に遷移させる制御部と、を備えたことを特徴とする。
【０００７】
また、操作部は、宛先設定キーを含み、記憶部は、特定操作として、宛先設定キーの押下を記憶し、かつ、宛先設定キーにアドレスを含む登録相手の情報を対応付けて記憶可能であることが好ましい。
【０００８】
また、制御部は、入力方法選択画面上に、宛先設定キーに対応するキーアイコンを表示させていることが好ましい。
【０００９】
また、制御部は、待受画面の表示中に、宛先設定キーが押下されたら、宛て先設定キーに対応付けられた登録相手の電話番号に発信することが好ましい。
【００１０】
また、制御部は、入力方法選択画面を表示させた状態において、予め設定された設定時間が経過すると、宛先設定キーに対応付けられる登録相手の登録情報を表示部に表示させ、登録情報の表示中に、操作部に決定操作が入力されたら、当該登録情報に対応する登録相手のアドレスを送付先に設定することが好ましい。
【００１１】
また、制御部は、入力方法選択画面を表示させた状態において、宛先設定キーが操作され、かつ、宛先設定キーに登録相手が対応付けられていない場合、表示中の登録相手が未登録である旨を報知する未登録報知画面を表示させることが好ましい。
【００１２】
また、制御部は、入力方法選択画面を表示させた状態において、宛先設定キーが操作され、かつ、宛先設定キーにアドレスが対応付けられていない場合、アドレスが未登録である旨を報知するアドレス未登録報知画面を表示させることが好ましい。
【００１３】
また、制御部は、宛先設定キーに対応付けられる登録相手が未登録である場合、入力方法選択画面上に表示されたキーアイコンを、未登録に対応する表示とすることが好ましい。
【００１４】
また、制御部は、入力方法選択画面を表示させた状態において、操作部に特定操作が入力され、かつ、特定操作に複数のアドレスが対応付けられている場合、メール宛先を選択する宛先選択画面を表示させることが好ましい。
【００１５】
また、制御部は、入力方法選択画面を表示させた状態において、操作部に特定操作が入力され、かつ、特定操作に複数のアドレスが対応付けられている場合、予め設定された優先順位の高いアドレスを送付先に設定することが好ましい。
【００１６】
また、制御部は、入力方法選択画面を表示させた状態において、操作部に特定操作が入力され、かつ、特定操作に複数のアドレスが対応付けられている場合、表示部にアドレスを順次遷移させて表示させ、アドレスの表示中に、操作部に決定操作が入力されたら、表示中のアドレスを送付先に設定することが好ましい。
【００１７】
また、制御部は、入力方法選択画面を表示させた状態において、操作部に特定操作が入力され、かつ、特定操作に複数のアドレスが対応付けられている場合、複数のアドレスの全てを送付先に設定することが好ましい。
【００１８】
また、１つの特定操作には、１つのみのアドレスが対応付けられていることが好ましい。
【発明の効果】
【００１９】
本発明によれば、特定操作を行うことにより、特定操作に対応付けられたアドレスを、送付先として簡単に設定することができる。これにより、特定操作の操作性を向上させることができる。
【図面の簡単な説明】
【００２０】
【図１】図１は、本実施形態に係る携帯端末装置を示す正面図である。
【図２】図２は、図１に示す携帯端末装置の機能の概略構成を示すブロック図である。
【図３】図３は、電子メールの作成時において遷移する各入力画面の一例を示す説明図である。
【図４】図４は、電子メールの作成時において遷移する各入力画面の一例を示す説明図である。
【図５】図５は、電子メールの作成時において遷移する各入力画面の一例を示す説明図である。
【図６】図６は、未登録報知画面の一例を示す説明図である。
【図７】図７は、アドレス未登録報知画面の一例を示す説明図である。
【図８】図８は、アドレス未登録報知画面の一例を示す説明図である。
【図９】図９は、入力方法選択画面の一例を示す説明図である。
【図１０】図１０は、アドレス選択画面の一例を示す説明図である。
【図１１】図１１は、メールアドレスを遷移させて表示させたときの一例を示す説明図である。
【図１２】図１２は、電子メールの作成時において遷移する各入力画面の一例を示す説明図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯端末装置の一例である携帯電話機を例として説明するが、本発明の適用対象は携帯電話機に限定されるものではない。例えば、ＰＨＳ（Personal Handyphone System）、ＰＤＡ、ポータブルナビゲーション装置、ポータブルゲーム機等の携帯型の通信端末や、パーソナルコンピュータ、ゲーム機等の固定型の通信端末に対しても本発明は適用できる。
【００２２】
（実施形態）
図１は、本実施形態に係る携帯端末装置の外観を示す正面図である。この携帯端末装置１は、メールを作成可能な携帯電話機である。ここで、メールとは、通信回線を介して送受信可能なメッセージである。メールとしては、送付先としてメールアドレスを設定する電子メール（Ｅメール）や、送付先として電話番号を設定するＳＭＳ（Short Message Service）により送受信可能なメッセージ（以下、ＳＭＳメールという）等がある。携帯端末装置１は、筐体１Ｃが第１筐体１ＣＡと第２筐体１ＣＢとで開閉可能に構成された、折り畳み式の携帯電話機である。
【００２３】
第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末装置１が開き、第１筐体１ＣＡと第２筐体１ＣＢとが互いに接近する方向に回動すると携帯端末装置１が閉じる。なお、図１は、携帯端末装置１を開いた状態である。
【００２４】
第１筐体１ＣＡには、表示部として、図１に示すメインディスプレイ２Ｍが設けられる。メインディスプレイ２Ｍは、所定の画像として、待受画面４０（壁紙とも言われる）を表示したり、携帯端末装置１の操作を補助するために用いられるメニュー画面を表示したりする。ここで、待受画面４０とは、電話の発着信を待ち受けている状態の画面、またはアプリケーションの起動を待ち受けている状態の画面である。また、図１に示すように、第１筐体１ＣＡには、メインディスプレイ２Ｍのヒンジ１８側に、３つのワンタッチキー４が設けられている。この３つのワンタッチキー４には、それぞれ、「１」、「２」、「３」の番号が付されている。そして、第１筐体１ＣＡには、携帯端末装置１の通話時に音声を発するレシーバ６が設けられている。
【００２５】
ここで、メインディスプレイ２Ｍとヒンジ１８との間に設けられた複数（本実施形態では、例えば３つ）のワンタッチキー４は、ワンタッチ操作で電話を発信するものである。３つのワンタッチキー４は、図示左側から順に、第１ワンタッチキー４ａ、第２ワンタッチキー４ｂ、第３ワンタッチキー４ｃとなっており、第１筐体１ＣＡの幅方向（短手方向）に並べて設けられている。なお、詳細は後述するが、各ワンタッチキー４は、電子メールの作成中において、電子メールのメールアドレスを設定する宛先設定キーとして機能する。
【００２６】
第２筐体１ＣＢには、通話相手の電話番号や、メール作成時等に文字を入力するための数字キー３ａが複数設けられ、また、メインディスプレイ２Ｍに表示されるメニューの選択、カーソルの移動方向を入力するための方向キー３ｂ、決定操作を入力するための決定キー３ｃ、各種アプリケーションの起動操作を入力するための機能キー３ｄが設けられている。なお、本実施形態では、方向キー３ｂの一部は、機能キー３ｄの機能も備えている。数字キー３ａ、方向キー３ｂ、決定キー３ｃ、機能キー３ｄ及びワンタッチキー４は、携帯端末装置１の操作部２８（図２参照）を構成する。また、第２筐体１ＣＢには、携帯端末装置１の通話時に音声を受け取るマイク５が設けられている。
【００２７】
次に、携帯端末装置１の機能と制御部との関係を説明する。図２は、図１に示す携帯端末装置の機能の概略構成を示すブロック図である。図２に示すように携帯端末装置１は、主制御部２２と、記憶部２４と、通信部２６と、操作部２８と、音声処理部３０と、表示部３２と、表示制御部３３とを有する。
【００２８】
主制御部２２は、携帯端末装置１の全体的な動作を統括的に制御する処理部、例えばＣＰＵ（Central Processing Unit）である。すなわち、携帯端末装置１の各種の処理が、操作部２８の操作や携帯端末装置１の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。
【００２９】
記憶部２４には、主制御部２２での処理に利用されるアプリケーションプログラム等のソフトウェアやデータが保存されている。具体的には、電子メールおよびＳＭＳメールの送受信や作成を行うアプリケーション、電話帳に通信相手の各種情報を登録するアプリケーション、待受画面４０に後述するキーアイコン１０を表示するアプリケーションや、電話帳データ、画像データ、音声データ、文字データ等が記憶されている。なお、電話帳データに登録される登録相手の情報としては、電話番号、メールアドレスや画像等がある。
【００３０】
また、記憶部２４には、電話帳データに登録された登録相手と、各ワンタッチキー４とが、テーブル等により対応付けて記憶されている。つまり、各ワンタッチキー４には、電話帳データに登録された登録相手をペア相手として対応付けられている。例えば、第１ワンタッチキー４ａには、登録相手として「お母さん」が対応付けられ、第２ワンタッチキー４ｂには、登録相手として「お父さん」が対応付けられ、第３ワンタッチキー４ｃには、登録相手が登録されていない未登録の状態となっている。
【００３１】
通信部２６は、基地局によって割り当てられるチャネルを介し、基地局との間でＣＤＭＡ方式などによる無線信号回線を確立し、基地局との間で電話通信及び情報通信を行う。このため、通信部２６は、携帯端末装置１により作成されたメールを送受信可能となっている。
【００３２】
操作部２８は、上述したように、数字キー３ａ、方向キー３ｂ、決定キー３ｃ、機能キー３ｄ、及び、ワンタッチキー４とで構成され、これらのキーがユーザの操作により入力されると、その操作内容に対応する信号を発生させる。そして、発生した信号は、ユーザの指示として主制御部２２へ入力される。なお、機能キー３ｄは、例えば、電源キー、通話キー、メールキーなど、各種の機能が割り当てられたキーであり、押下されることで、当該キーに対応付けられた機能を起動させる。
【００３３】
音声処理部３０は、マイク５に入力される音声信号やレシーバ６から出力される音声信号の処理を実行する。
【００３４】
表示部３２は、液晶ディスプレイ（ＬＣＤ、Liquid  Crystal  Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３５】
次に、携帯端末装置１の動作、具体的には、主制御部２２における処理について説明する。携帯端末装置１は、図１に示すように、表示部３２のメインディスプレイ２Ｍに待受画面４０を表示させる場合、３つのワンタッチキー４に対応付けられた３つのキーアイコン１０を、待受画面４０に重ねて表示する。
【００３６】
３つのキーアイコン１０は、メインディスプレイ２Ｍにおいて、第１筐体１ＣＡのヒンジ１８側に表示され、図示左側から順に、第１キーアイコン１０ａ、第２キーアイコン１０ｂ、第３キーアイコン１０ｃとなっており、第１筐体１ＣＡの幅方向に並べて表示されている。そして、第１ワンタッチキー４ａと第１キーアイコン１０ａとが対応付けられて、図示左側に配置され、第２ワンタッチキー４ｂと第２キーアイコン１０ｂとが対応付けられて、図示中央に配置され、第３ワンタッチキー４ｃと第３キーアイコン１０ｃとが対応付けられて、図示右側に配置されている。このキーアイコン１０として、ワンタッチキー４に対応付けられた登録相手の電話帳に登録された画像が表示される。また、このキーアイコン１０ａ、１０ｂ、１０ｃは、それぞれ対応するワンタッチキー４ａ、４ｂ、４ｃの番号（具体的には「１」「２」「３」）の画像も含まれている。なお、第３ワンタッチキー４ｃは未登録状態であるため、第３キーアイコン１０ｃに対応する画像がなく、この場合、枠のみ表示される。
【００３７】
このように、携帯端末装置１は、待受画面４０の表示時にワンタッチキー４に対応して登録した画像（キーアイコン１０ａ、１０ｂ、１０ｃ）を表示させることで、ワンタッチキー４のそれぞれと、それに対応した登録相手を簡単に認識することができる。例えば、表示部３２に表示させることで、各ワンタッチキー４に対応した登録相手を頻繁に変更しても、間違えることなく、所望の相手に電話をかけたり、メールを送ったりすることができる。
【００３８】
ここで、図３は、電子メールの作成時において遷移する各入力画面の一例を示す説明図である。携帯端末装置１の主制御部２２は、電子メールおよびＳＭＳメールの送受信や作成を行うアプリケーションを実行することで、電子メールの作成とＳＭＳメールの作成とを行うことが可能となっている。なお、主制御部２２は、所定の順序に従って各入力画面を表示し、各入力画面において操作部２８を介して入力されたテキストデータに基づいて、電子メールを作成する、いわゆるウィザード方式のメール作成方法となっている。
【００３９】
電子メールの作成とＳＭＳメールの作成とは、ほぼ同様の処理となっているため、以下では、電子メールを作成する場合について説明する。なお、電子メールは、送付先としてメールアドレスを設定する一方、ＳＭＳメールは、送付先として電話番号を設定する。
【００４０】
携帯端末装置１の主制御部２２は、機能キー３ｄの１つであるメールキーが押下されると、電子メールおよびＳＭＳメールの送受信や作成を行うアプリケーションを実行し、表示部（メインディスプレイ２Ｍ）３２に、電子メールメニュー画面５０を表示する。
【００４１】
電子メールメニュー画面５０には、電子メールを新規作成する項目や、受信して保存された電子メールを開く項目、送信済みの電子メールを開く項目等が表示される。なお、電子メールを作成する場合、ユーザは、電子メールメニュー画面５０において、所定の操作を行うことにより電子メールを作成する。一方、電子メールに代えてＳＭＳメールを作成する場合、ユーザは、表示部３２の左下に表示された「ＳＭＳ」の画像に対応する操作部２８を操作する。これにより、主制御部２２は、電子メールメニュー画面５０から、図示しないＳＭＳメニュー画面に切り換える。そして、ユーザは、ＳＭＳメニュー画面において、所定の操作を行うことによりＳＭＳメールを作成する。
【００４２】
主制御部２２は、電子メールメニュー画面５０の表示中に、ユーザの操作により、新規作成の項目が選択されたら、電子メールのメールアドレスの入力方法を選択する入力方法選択画面５５を表示させる。入力方法選択画面５５には、例えば、電話帳呼出、送信履歴呼出、受信履歴呼出等のメールアドレスの入力方法に関する項目が表示される。また、この入力方法選択画面５５には、３つのワンタッチキー４に対応する３つのキー選択アイコン５６が表示される。
【００４３】
この３つのキー選択アイコン５６は、第１筐体１ＣＡのヒンジ１８側に表示されている。３つのキー選択アイコン５６は、図示左側から順に、第１ワンタッチキー４ａに対応付けられた第１キー選択アイコン５６ａ、第２ワンタッチキー４ｂに対応付けられた第２キー選択アイコン５６ｂ、および第３ワンタッチキー４ｃに対応付けられた第３キー選択アイコン５６ｃが、第１筐体１ＣＡの幅方向に並べて表示されている。
【００４４】
主制御部２２は、入力方法選択画面５５の表示中に、ユーザの操作により、入力方法選択画面５５に表示された複数の項目の中から、電話帳呼出の項目が選択されたら、電話帳において電子メールのメールアドレスを検索する詳細画面６０を表示させる。つまり、主制御部２２には、入力方法選択画面５５の表示中に、ワンタッチキー４の操作が入力されず、他のキーの操作が入力される。
【００４５】
主制御部２２は、詳細画面６０の表示中に、ユーザの操作により、電話帳に登録された所望の登録相手が選択されたら、選択された登録相手のメールアドレスを送付先として設定し、この後、電子メールの件名を入力するか否かを選択する件名入力選択画面６５を表示させる。件名入力選択画面６５には、件名を入力する件名入力画面６７へ遷移させる項目と、件名入力を省略して、電子メールの本文を入力するか否かを選択する本文入力選択画面７０へ遷移させる項目とが表示される。
【００４６】
次に、入力方法選択画面５５の表示中に、ワンタッチキー４が操作された場合について説明する。主制御部２２は、入力方法選択画面５５の表示中に、ユーザにより、ワンタッチキー４（本実施形態では、第２ワンタッチキー４ｂ）が操作されたら、ワンタッチキー４に対応付けられた登録相手のメールアドレスを送付先として設定する。設定後、主制御部２２は、詳細画面６０への遷移を省略して、件名入力選択画面６５を表示させる。つまり、ユーザは、入力方法選択画面５５の表示中に、ワンタッチキー４を操作することで、電子メールのメールアドレスを設定することができる。
【００４７】
主制御部２２は、件名入力選択画面６５の表示中に、ユーザの操作により、件名を入力する項目が選択されたら、件名入力画面６７を表示させる。件名入力画面６７には、操作部２８を介して入力されたテキストデータが表示される。主制御部２２は、件名入力画面６７の表示中に、ユーザの操作により、入力されたテキストデータが件名として決定されたら、入力されたテキストデータを件名として設定する。設定後、主制御部２２は、本文入力選択画面７０を表示させる。
【００４８】
一方、主制御部２２は、件名入力選択画面６５の表示中に、ユーザの操作により、本文入力選択画面７０へ遷移させる項目が選択されたら、件名の未入力状態で、本文入力選択画面７０を表示させる。
【００４９】
本文入力選択画面７０には、本文を入力する本文入力画面７５へ遷移させる項目と、本文入力を省略して、作成した電子メールの内容を確認するメール確認画面８０へ遷移させる項目とを表示させる。
【００５０】
主制御部２２は、本文入力選択画面７０の表示中に、ユーザの操作により、本文を入力する項目が選択されたら、本文入力画面７５を表示させる。本文入力画面７５には、操作部２８を介して入力されたテキストデータが表示される。主制御部２２は、本文入力画面７５の表示中に、ユーザの操作により、入力されたテキストデータが本文として決定されたら、入力されたテキストデータを本文として設定し、この後、メール確認画面８０を表示させる。
【００５１】
一方、主制御部２２は、本文入力選択画面７０の表示中に、ユーザの操作により、メール確認画面８０へ遷移させる項目が選択されたら、本文の未入力状態で、メール確認画面８０を表示させる。
【００５２】
メール確認画面８０には、詳細画面６０、件名入力画面６７および本文入力画面７５で入力した、登録相手、件名および本文を確認可能に表示する。ユーザは、メール確認画面８０において、作成した電子メールを確認すると、操作部２８を操作して、作成した電子メールを通信部２６を介して送信し、一連の操作を終了する。
【００５３】
以上のように、主制御部２２は、メール作成時において、所定の順序に従って、各入力画面を遷移させ、ユーザは、各入力画面に従って、所定の入力を行うことにより、電子メールを作成することができる。なお、上記の入力画面に加え、例えば、電子メールに添付する添付データを入力するための入力画面を設けてもよい。
【００５４】
以上の構成によれば、携帯端末装置１は、メール作成時において、ワンタッチキー４が使用されることにより、ワンタッチキー４に対応付けられたメールアドレスを送付先として設定することができる。これにより、ユーザは、通話以外のメール作成時でも、ワンタッチキー４を操作して、簡単にメールアドレスを設定することができるため、ワンタッチキー４の操作性をさらに向上させることができる。
【００５５】
なお、本実施形態では、電子メールを作成する場合について説明したが、これに限らず、ＳＭＳメールを作成する場合に適用してもよい。この場合、送付先としては、登録相手の電話番号が送付先として設定される。
【００５６】
次に、図４ないし図９を参照して、入力方法選択画面５５の表示時において、ユーザが上記操作以外の操作を行った場合について説明する。図４は、電子メールの作成時において遷移する各入力画面の一例を示す説明図である。図５は、電子メールの作成時において遷移する各入力画面の一例を示す説明図である。図６は、未登録報知画面の一例を示す説明図である。図７は、アドレス未登録報知画面の一例を示す説明図である。図８は、アドレス未登録報知画面の一例を示す説明図である。図９は、入力方法選択画面の一例を示す説明図である。
【００５７】
図４に示すように、主制御部２２は、入力方法選択画面５５の表示中に、ユーザによる操作がなかった（未操作の）場合、ワンタッチキー４に対応付けられた登録相手の画像を、順次表示させてもよい。つまり、主制御部２２は、表示部３２に入力方法選択画面５５を表示させてから、予め設定された設定時間が経過してもユーザによる操作がなかった場合、入力方法選択画面５５に表示された電話帳呼出を含む項目に代えて、第１ワンタッチキー４ａに対応付けられた画像９１を表示させる。
【００５８】
さらに、主制御部２２は、入力方法選択画面５５に第１ワンタッチキー４ａに対応する画像９１を表示させてから、予め設定された設定時間が経過してもユーザによる操作がなかった場合、入力方法選択画面５５に表示された画像９１に代えて、第２ワンタッチキー４ｂに対応付けられた画像９２を表示させる。
【００５９】
また、主制御部２２は、入力方法選択画面５５に画像９２を表示させた状態で、ユーザにより決定操作されたら、画像９２に対応付けられた登録相手の電話帳に登録されたメールアドレスを、送付先として設定する。設定後、主制御部２２は、詳細画面６０の表示を省略して、件名入力選択画面６５を表示する。
【００６０】
なお、主制御部２２は、例えば、第３ワンタッチキー４ｃのように、ワンタッチキー４に登録相手が対応付けられていない場合、ワンタッチキー４に対応付けられる画像の表示を省略してもよい。
【００６１】
また、上記では、画像９２の表示時に、ユーザによる決定操作が入力されたが、主制御部２２は、ユーザによる操作が入力されるまで、電話帳呼出を含む項目、第１ワンタッチキー４ａに対応する画像９１、および第２ワンタッチキー４ｂに対応する画像９２を、設定時間毎に順に切り換えて、繰り返し表示させてもよい。
【００６２】
また、上記したように、主制御部２２は、第３ワンタッチキー４ｃが未登録である場合、画像の表示を行わなかったが、第３ワンタッチキー４ｃが未登録である旨の画像を表示させてもよい。
【００６３】
以上の構成によれば、主制御部２２は、入力方法選択画面５５の表示中において、ユーザからの操作がない場合でも、第１ワンタッチキー４ａに対応する画像９１と、第２ワンタッチキー４ｂに対応する画像９２と、第３ワンタッチキー４ｃに対応する画像とを順次表示させる。このため、携帯端末装置１の操作が不慣れなユーザであっても、順次表示される画像９１，９２を視認しながら、決定キー３ｃを操作することで、メールアドレスを簡単に設定することができる。
【００６４】
なお、上記では、第１ワンタッチキー４ａに対応する画像９１、第２ワンタッチキー４ｂに対応する画像９２、および第３ワンタッチキー４ｃに対応する画像を、設定時間毎に順に切り換えていた。この表示に代えて、図５に示すように、主制御部２２は、第１ワンタッチキー４ａに対応する画像９１と、第２ワンタッチキー４ｂに対応する画像９２と、第３ワンタッチキー４ｃに対応する画像とを並べて表示させ、画像を囲む枠線９５を、順次移動させるように表示させてもよい。
【００６５】
次に、図６を参照して、入力方法選択画面５５の表示中に、ユーザが、未登録となっているワンタッチキー４（本実施形態では、第３ワンタッチキー４ｃ）を操作した場合について説明する。主制御部２２は、入力方法選択画面５５の表示中に、第３ワンタッチキー４ｃが操作されると、第３ワンタッチキー４ｃに登録相手が対応付けられていないとして、登録相手が未登録である旨を報知する画面である未登録報知画面１００を表示させる。なお、主制御部２２は、未登録報知画面１００を表示させてから、所定時間が経過すると、再度、入力方法選択画面５５を表示させるようにしてもよい。この構成によれば、主制御部２２は、ワンタッチキー４が未登録の状態であることを、ユーザに報知することができる。
【００６６】
次に、図７を参照して、入力方法選択画面５５の表示中に、ユーザが、メールアドレスが登録されていない登録相手に対応付けられたワンタッチキー４を操作した場合について説明する。例えば、第１ワンタッチキー４ａに対応付けられた登録相手である「お母さん」の電話帳には、メールアドレスが登録されていない状態である。主制御部２２は、入力方法選択画面５５の表示中に、第１ワンタッチキー４ａが操作されると、第１ワンタッチキー４ａに対応付けられたメールアドレスの登録の有無を判定する。メールアドレスの登録がないと判断すると、メールアドレスが未登録である旨を報知する画面であるアドレス未登録報知画面１０５を表示させる。なお、主制御部２２は、アドレス未登録報知画面１０５を表示させてから、所定時間が経過すると、再度、入力方法選択画面５５を表示させるようにしてもよい。
【００６７】
この構成によれば、主制御部２２は、ワンタッチキー４に対応付けられた登録相手のメールアドレスが未登録の状態であることを、ユーザに報知することができる。なお、図７に示すアドレス未登録報知画面１０５は、メールアドレスを用いて電子メールを作成する場合であるが、電話番号を用いてＳＭＳメールを作成する場合は、図８に示すアドレス未登録報知画面１０６を表示させる。つまり、アドレス未登録報知画面１０６は、電話番号が未登録である旨を報知する。
【００６８】
次に、図９を参照して、入力方法選択画面５５の表示中に、ユーザが、未登録となっているワンタッチキー４（本実施形態では、第３ワンタッチキー４ｃ）がある場合について説明する。主制御部２２は、入力方法選択画面５５を表示する場合、各ワンタッチキー４に登録相手が対応付けられているか否かを判定する。主制御部２２は、判定の結果、第１ワンタッチキー４ａおよび第２ワンタッチキー４ｂが登録状態であり、第３ワンタッチキー４ｃが未登録状態であると判定すると、第１キー選択アイコン５６ａおよび第２キー選択アイコン５６ｂを明転させ、第３キー選択アイコン５６ｃを暗転させる。
【００６９】
この構成によれば、主制御部２２は、明転した第１および第２ワンタッチキー４ａ，４ｂが登録状態であり、暗転した第３ワンタッチキー４ｃが未登録状態であることを、ユーザに報知することができる。なお、キー選択アイコン５６の表示形態については、どのような表示形態でもよく、ワンタッチキー４の登録および未登録が識別可能な表示形態であればよい。
【００７０】
続いて、図１０および図１１を参照して、ワンタッチキー４に対応付けられた登録相手の電話帳に、複数のメールアドレスが登録されている場合、すなわち、ワンタッチキー４に複数のメールアドレスが対応付けられている場合について説明する。図１０は、アドレス選択画面の一例を示す説明図である。図１１は、メールアドレスを遷移させて表示させたときの一例を示す説明図である。
【００７１】
表示部３２に入力方法選択画面５５が表示された状態において、ユーザが、ワンタッチキー４を操作する。主制御部２２は、入力方法選択画面５５の表示中に、ワンタッチキー４が操作されると、ワンタッチキー４に対応付けられた登録相手の電話帳に登録されたメールアドレスの登録数を判定する。主制御部２２は、判定した結果、メールアドレスが複数登録されていると判定すると、図１０に示すように、メールアドレスを選択するアドレス選択画面１１０を表示部３２に表示させる。主制御部２２は、アドレス選択画面１１０の表示中に、ユーザにより所望のメールアドレスが選択されたら、選択されたメールアドレスを送付先として設定し、詳細画面６０の遷移を省略して、件名入力選択画面６５を表示する。
【００７２】
この構成によれば、ワンタッチキー４に対応付けられたメールアドレスが複数ある場合、ユーザは、アドレス選択画面１１０において、所望のメールアドレスを選択することができる。
【００７３】
なお、ワンタッチキー４に複数のメールアドレスが対応付けられている場合、上記の構成に代えて、下記する構成としてもよい。つまり、主制御部２２は、ワンタッチキー４に対応付けられたメールアドレスが複数登録されていると判断すると、予め設定された優先順位の高いメールアドレスを送付先として設定するようにしてもよい。すなわち、ワンタッチキー４に登録相手を対応付ける際、この対応付けと同時に、メールアドレスの優先順位を設定する。
【００７４】
この構成によれば、ワンタッチキー４に対応付けられたメールアドレスが複数ある場合、主制御部２２は、予め設定された優先順位の高いメールアドレスを設定することができる。これにより、ユーザは、優先順位の高いメールアドレスを送付先として設定することができる。
【００７５】
また、ワンタッチキー４に複数のメールアドレスが対応付けられている場合、上記の構成に代えて、下記する構成としてもよい。つまり、図１１に示すように、主制御部２２は、ワンタッチキー４に対応付けられたメールアドレスが複数登録されていると判断すると、表示部３２にメールアドレスを順次遷移させながら、複数のメールアドレスを繰り返し表示させるようにしてもよい。例えば、メールアドレスが２つある場合、主制御部２２は、一方のメールアドレスを表示する第１アドレス表示画面１１１から、他方のメールアドレスを表示する第２アドレス表示画面１１２へ画面を切り換える。
【００７６】
このとき、所望のメールアドレスが表示部３２に表示された状態において、ユーザが決定キー３ｃを操作する。主制御部２２は、第１アドレス表示画面１１１または第２アドレス表示画面１１２の表示中に、ユーザにより決定操作がされたら、第１アドレス表示画面１１１または第２アドレス表示画面１１２に表示されたメールアドレスを、送付先として設定する。
【００７７】
この構成によれば、ワンタッチキー４に対応付けられたメールアドレスが複数ある場合、主制御部２２は、複数のメールアドレスを表示部３２に順次表示させることができる。このため、携帯端末装置１の操作が不慣れなユーザであっても、順次表示されるアドレス表示画面１１１，１１２を視認しながら、決定キー３ｃを操作することで、メールアドレスを設定することができる。
【００７８】
また、ワンタッチキー４に複数のメールアドレスが対応付けられている場合、上記の構成に代えて、下記する構成としてもよい。つまり、主制御部２２は、ワンタッチキー４に対応付けられたメールアドレスが複数登録されていると判断すると、複数のメールアドレスの全てを、送付先として設定する。
【００７９】
この構成によれば、主制御部２２は、複数のメールアドレスの全てを、送付先として設定することができるため、ユーザは、複数のメールアドレスがあっても、メールアドレスを選択するための操作を行う必要がない。これにより、ワンタッチキー４に対応付けられたメールアドレスが複数ある場合でも、ユーザは、簡単な操作でメールアドレスを設定することができる。
【００８０】
なお、上記の構成では、ワンタッチキー４に複数のメールアドレスが対応付けられた場合について説明したが、ワンタッチキー４に対応付け可能なメールアドレスを予め１つとしてもよい。つまり、ワンタッチキー４に登録相手を対応付ける際、この対応付けと同時に、１つのメールアドレスをワンタッチキー４に対応付けて設定してもよい。
【００８１】
次に、図１２を参照して、入力方法選択画面５５が表示された状態において、ワンタッチキー４の代わりに、数字キー３ａを使用して、電子メールのメールアドレスを設定する場合について説明する。ここで、図１２は、電子メールの作成時において遷移する各入力画面の一例を示す説明図である。数字キー３ａを使用する場合、数字キー３ａによって入力される数字には、電話帳に登録される登録相手が対応付けられている。つまり、電話帳に登録された登録相手には、識別番号（電話帳ナンバー）が登録可能となっている。そして、主制御部２２は、この識別番号を手掛かりとして、電話帳に登録された登録相手のメールアドレスを送付先として設定することができる。
【００８２】
つまり、主制御部２２は、入力方法選択画面５５の表示中に、ユーザにより、例えば、数字キー３ａの「１」が操作されたら、入力された数字の「１」に対応付けられた識別番号の登録相手である「お父さん」の電話帳に登録されたメールアドレスを、送付先として設定可能な状態とする。この状態において、主制御部２２は、ユーザにより、例えば、数字キー３ａの「３」が操作されたら、入力された数字の「１３」に対応付けられた識別番号の登録相手である「山田二郎」の電話帳に登録されたメールアドレスを、送付先として設定可能な状態とする。そして、この状態において、主制御部２２は、ユーザにより決定操作されたら、「１３」の数字に対応付けられた「山田二郎」の電話帳に登録されたメールアドレスを、送付先として設定し、詳細画面６０の表示を省略して、件名入力選択画面６５を表示する。このため、数字キー３ａは、電子メールの作成中において、電子メールのメールアドレスを設定する宛先設定キーとして機能する。
【００８３】
以上の構成によれば、主制御部２２は、入力方法選択画面５５の表示中において、数字キー３ａを使用することにより、入力された数字に対応付けられたメールアドレスを送付先として設定することができる。このため、通話以外のメール作成時でも、数字キー３ａを操作して、簡単にメールアドレスを設定することができる。
【産業上の利用可能性】
【００８４】
以上のように、本発明に係る携帯端末装置は、ワンタッチキーを備えた携帯端末装置において有用であり、特に、ワンタッチキーの操作性を向上させる場合に適している。
【符号の説明】
【００８５】
１    携帯端末装置
１Ｃ  筐体
２Ｍ  メインディスプレイ
３ａ  数字キー
３ｂ  方向キー
３ｃ  決定キー
３ｄ  機能キー
４    ワンタッチキー
１０  キーアイコン
２２  主制御部
２４  記憶部
２８  操作部
３２  表示部
３３  表示制御部
４０  待受画面
５０  電子メールメニュー画面
５５  入力方法選択画面
５６  キー選択アイコン
６０  詳細画面
９１  画像（第１ワンタッチキー）
９２  画像（第２ワンタッチキー）
９５  枠線
１００  未登録報知画面
１０５  アドレス未登録報知画面
１０６  アドレス未登録報知画面
１１０  アドレス選択画面
【図１】
0005523158.tif 000002
【図２】
0005523158.tif 000003
【図３】
0005523158.tif 000004
【図４】
0005523158.tif 000005
【図５】
0005523158.tif 000006
【図６】
0005523158.tif 000007
【図７】
0005523158.tif 000008
【図８】
0005523158.tif 000009
【図９】
0005523158.tif 000010
【図１０】
0005523158.tif 000011
【図１１】
0005523158.tif 000012
【図１２】
0005523158.tif 000013